(57)【要約】【課題】アドレスデータのスイッチングを少なくし消費電力を減らすことができるプラズマ表示パネル装置を提供する。【解決手段】多数のアドレス電極と、互いに対を成しジグザグに配列された多数の走査電極と維持電極を含むプラズマ表示パネルのアドレスデータ自動電力制御装置において、映像信号の各ライン間の差の合計を計算して、各ライン間の差の合計に対応する減衰係数を出力し、映像信号に減衰係数を掛けて補正された映像データを出力する。このようにアドレスデータを電力制御することによって、アドレスデータのスイッチングが少なくなり消費電力を減らすことができる。【選択図】　　　　　　図６
2004062172.tif 000002
【特許請求の範囲】
【請求項１】
多数のアドレス電極と、互いに対を成しジグザグに配列された多数の走査電極と維持電極を含むプラズマ表示パネルのアドレスデータ自動電力制御装置において、
負荷率に対応する維持放電情報を保存しているメモリと、
外部から入力される映像信号の負荷率を測定する平均信号レベル感知部と、
現在入力された映像信号の負荷率に対応する維持放電情報を出力する維持走査電力制御部と、
前記映像信号の各ライン間の差の合計を計算し、各ライン間の差の合計に対応する減衰係数を前記映像信号に掛けて、補正された映像データを出力するアドレス電力制御部と、
前記補正された映像データを映像処理する映像データ処理部とを含むプラズマ表示パネルのアドレスデータ自動電力制御装置。
【請求項２】
前記アドレス電力制御部は、
映像信号をライン単位で保存するラインメモリと、
前記映像信号を前記ラインメモリにライン単位で保存し、現在のラインと以前のラインとの差を求めて合せ、１フレームの各ライン間の差の合計を求める計算部と、
１フレームのライン間の差の合計に対応する減衰係数を保存している減衰係数保存部と、
前記差の合計に対応する減衰係数を前記減衰係数保存部から読出して出力する減衰係数決定部と、
前記減衰係数決定部から出力される減衰係数を前記映像信号に掛けて補正された映像データを出力する乗算器とを含む、請求項１に記載のプラズマ表示パネルのアドレスデータ自動電力制御装置。
【請求項３】
前記減衰係数は前記１フレームのライン間の差の合計に反比例することを特徴とする、請求項２に記載のプラズマ表示パネルのアドレスデータ自動電力制御装置。
【請求項４】
前記減衰係数は１フレームのライン間の差の合計が０である場合に１であり、差の合計が増加するほど小さくなり、０〜１の間であることを特徴とする、請求項３に記載のプラズマ表示パネルのアドレスデータ自動電力制御装置。
【請求項５】
Ｎ個のラインとＭ個の列を有する映像データの前記１フレームのライン間の差の合計は下記式によって求められ、Ｐはピクセル値を意味し、ｉはラインを意味し、ｊはコラムを意味することを特徴とする、請求項３に記載のプラズマ表示パネルのアドレスデータ自動電力制御装置。
【式１】
2004062172.tif 000004
【請求項６】
前記映像データ処理部は補正された映像データを階調用データに変換し、階調別に分類し、予定された駆動シーケンスに合うように再配列して出力することを特徴とする、請求項３に記載のプラズマ表示パネルのアドレスデータ自動電力制御装置。
【請求項７】
多数のアドレス電極と、互いに対を成しジグザグに配列された多数の走査電極と維持電極を含むプラズマ表示パネルと、
入力される映像信号の各ライン間の差の合計を計算し、各ライン間の差の合計に対応する減衰係数を前記映像信号に掛けて、補正された映像データを出力し、前記映像信号の負荷率を測定し、測定された負荷率に該当する維持放電パルス情報を出力する制御部と、
前記制御部から出力される補正された映像データに対応するアドレスデータを生成して前記プラズマパネルの前記アドレス電極に印加するアドレスデータ発生部と、
前記制御部からの維持放電パルス情報に対応する維持パルスと走査パルスを各々生成して前記維持電極と走査電極に印加する維持走査パルス発生部とを含むプラズマ表示パネル装置。
【請求項８】
前記制御部は、
負荷率に対応する維持放電パルス情報を保存しているメモリと、
外部から入力される映像信号の負荷率を測定する平均信号レベル感知部と、
現在入力された映像信号の負荷率に対応する維持放電パルス情報を出力する維持走査電力制御部と、
前記映像信号の以前のラインと現在のラインの各ピクセル間の差の合計を計算し、その差の合計に対応する減衰係数を前記映像信号に掛けて、補正された映像データを出力するアドレス電力制御部と、
前記補正された映像データを階調用データに変換して、階調別に分類し、予定された駆動シーケンスに合うように再配列して出力する映像データ処理部とを含む、請求項７に記載のプラズマ表示パネル装置。
【請求項９】
前記減衰係数は映像信号の以前のラインと現在のラインの各ピクセル間の差の合計に反比例し、０〜１の間であることを特徴とする、請求項８に記載のプラズマ表示パネル装置。
【請求項１０】
多数のアドレス電極と、互いに対を成しジグザグに配列された多数の走査電極と維持電極を含むプラズマ表示パネルのアドレスデータ自動電力制御方法であって、
入力される映像データの各ライン間の差の合計を計算する段階と、
各ライン間の差の合計に対応する減衰係数を出力する段階と、
前記映像データに減衰係数を掛けて、補正された映像データを出力する段階とを含むプラズマ表示パネルのアドレスデータ自動電力制御方法。
【請求項１１】
前記補正された映像データを階調用データに変換して、階調別に分類し、予定された駆動シーケンスに合うように再配列して出力する段階をさらに含む、請求項１０に記載のプラズマ表示パネルのアドレスデータ自動電力制御方法。
【請求項１２】
入力される映像データの負荷率を測定し、負荷率に該当する維持放電パルス情報を出力する段階と、
前記維持放電パルス情報に対応する維持パルスと走査パルスを各々生成して前記維持電極と走査電極に印加する段階と、
前記再配列された映像データに対応するアドレスデータを生成して前記プラズマパネルの前記アドレス電極に印加する段階とをさらに含む、請求項１１に記載のプラズマ表示パネルのアドレスデータ自動電力制御方法。
【請求項１３】
前記減衰係数は映像データの以前のラインと現在のラインの各ピクセル間の差の合計に反比例し、０〜１の間であることを特徴とする、請求項１２に記載のプラズマ表示パネルのアドレスデータ自動電力制御方法。
【発明の詳細な説明】
【０００１】
【発明の属する技術分野】
本発明はプラズマ表示パネル装置に係わり、特に、プラズマ表示パネルのアドレスデータ自動電力制御方法と装置、その装置を含むプラズマ表示パネル装置に関する。
【０００２】
【従来の技術】
一般にプラズマ表示パネルはその駆動特性上、消費電力が大きいので、表示されるフレームの負荷率に応じて消費電力を制御する装置が必要である。このような消費電力を制御する方法として自動電力制御（Ａｕｔｏ　ｐｏｗｅｒ　ｃｏｎｔｒｏｌ）を行って消費電力を制限する方法が用いられている。しかし、従来は維持走査パルスを発生する部分に対する自動電力制御のみを行い、アドレスデータを発生する部分に対する電力制御は行わなかった。したがって、アドレスデータを駆動する部分の電力消耗が大きいという短所がある。
【０００３】
以下、添付図面を参照して従来の技術について詳細に説明する。
【０００４】
図１はプールホワイト時の映像データを示した図面である。
【０００５】
図１を参照すると、プールホワイト時には全てのデータが１であってアドレス電極のデータ変動がほとんどなく、パルススイッチングが少なく、スイッチング回数に比例して消費電力が増加するので、充／放電無効電力が少ない。この時の駆動波形は図２に示された通りである。図２に示されているように、プールホワイト時には図２に太い実線で表示された１コラムに対して一度のスイッチングのみでよい。
【０００６】
しかし、ドットパターン映像データの場合は次の通りである。
【０００７】
図３はドットパターン映像データを示した図面である。
【０００８】
図３を参照すると、データが１から０に、０から１に変化し続けるのでスイッチングが多く起こるようになる。この時の駆動波形を図４に示した。
【０００９】
図４のように、ドットパターンではアドレス電極のデータ変動が多く、駆動波形のパルススイッチングが頻繁に起こって消費電力が増加するようになる。
【００１０】
前記過程のように、アドレスデータにおいて以前のラインの画素と現在のラインの画素の差が多いほどスイッチングが頻繁に起こるようになって消費電力が増加するという問題がある。
【００１１】
【発明が解決しようとする課題】
本発明が目的とする技術的課題はこのような従来の問題を解決するためのものであって、アドレスデータのスイッチングが少なくなるようにして消費電力を減少させることができるプラズマ表示パネルのアドレスデータ自動電力制御方法と装置、その装置を含むプラズマ表示パネル装置を提供することにある。
【００１２】
【課題を解決するための手段】
このような課題を解決するための本発明の一つの特徴によるプラズマ表示パネルのアドレスデータ自動電力制御方法は、
多数のアドレス電極と、互いに対を成しジグザグに配列された多数の走査電極と維持電極を含むプラズマ表示パネルのアドレスデータ自動電力制御方法であって、
入力される映像データの各ライン間の差の合計を計算する段階と、
各ライン間の差の合計に対応する減衰係数を出力する段階と、
前記映像データに減衰係数を掛けて、補正された映像データを出力する段階とを含む。
【００１３】
このような課題を解決するための本発明の他の特徴によるプラズマ表示パネルのアドレスデータ自動電力制御装置は、
多数のアドレス電極と、互いに対を成しジグザグに配列された多数の走査電極と維持電極を含むプラズマ表示パネルのアドレスデータ自動電力制御装置において、
負荷率に対応する維持放電情報を保存しているメモリと、
外部から入力される映像信号の負荷率を測定する平均信号レベル感知部と、
現在入力された映像信号の負荷率に対応する維持放電情報を出力する維持走査電力制御部と、
前記映像信号の各ライン間の差の合計を計算し、各ライン間の差の合計に対応する減衰係数を前記映像信号に掛けて、補正された映像データを出力するアドレス電力制御部と、
前記補正された映像データを映像処理する映像データ処理部とを含む。
【００１４】
前記映像データ処理部は補正された映像データを階調用データに変換して、階調別に分類し、予定された駆動シーケンスに合うように再配列して出力する。
【００１５】
このような課題を解決するための本発明の他の特徴によるプラズマ表示パネル装置は、
多数のアドレス電極と、互いに対を成しジグザグに配列された多数の走査電極と維持電極を含むプラズマ表示パネルと、
入力される映像信号の各ライン間の差の合計を計算し、各ライン間の差の合計に対応する減衰係数を前記映像信号に掛けて、補正された映像データを出力し、前記映像信号の負荷率を測定して、測定された負荷率に該当する維持放電パルス情報を出力する制御部と、
前記制御部から出力される補正された映像データに対応するアドレスデータを生成して前記プラズマパネルの前記アドレス電極に印加するアドレスデータ発生部と、
前記制御部からの維持放電パルス情報に対応する維持パルスと走査パルスを各々生成して前記維持電極と走査電極に印加する維持走査パルス発生部とを含む。
【００１６】
【発明の実施の形態】
以下、このような本発明を通常の知識を有する者が容易に実施できるように一実施形態について添付図面を参照して説明する。
【００１７】
図５は本発明の一実施形態によるプラズマ表示パネル装置の構成図である。
【００１８】
図５を参照すると、本発明の一実施形態によるプラズマ表示パネル装置は、プラズマ表示パネル１００、制御部３００、アドレスデータ発生部２００、維持走査パルス発生部４００を含む。
【００１９】
プラズマ表示パネル１００は多数のアドレス電極と、互いに対を成しジグザグに配列された多数の走査電極と維持電極を含む。制御部３００は入力される映像信号の各ライン間の差の合計を計算し、各ライン間の差の合計に対応する減衰係数を前記映像信号に掛けて、補正された映像データを出力し、前記映像信号の負荷率を測定して、測定された負荷率に該当する維持放電パルス情報（維持放電情報）を出力する。アドレスデータ発生部２００は制御部３００から出力される補正された映像データに対応するアドレスデータを生成して前記プラズマパネルの前記アドレス電極に印加する。維持走査パルス発生部４００は制御部３００からの維持放電パルス情報に対応する維持パルスと走査パルスを各々生成して前記維持電極と走査電極に印加する。
【００２０】
図６は図５の制御部の内部構成を示す。図６を参照すると、制御部３００はアドレス電力制御部３１０、映像データ処理部３４０、維持走査電力制御部３３０、平均信号レベル感知部３２０及びメモリ３５０を含む。
【００２１】
メモリ３５０は負荷率に対応する維持放電パルス情報を保存している。平均信号レベル感知部３２０は外部から入力される映像信号の負荷率を測定する。維持走査電力制御部３３０は現在入力された映像データの負荷率に対応する維持放電パルス情報を出力する。アドレス電力制御部３１０は映像信号の各ライン間の差の合計を計算し、各ライン間の差の合計に対応する減衰係数を前記映像信号に掛けて、補正された映像データを出力する。映像データ処理部３４０は補正された映像データを階調用データに変換して、階調別に分類し、予定された駆動シーケンスに合うように再配列して出力する。
【００２２】
以下、このような構成を有する本発明の一実施形態によるプラズマ表示パネルのアドレスデータ自動電力制御方法と装置、その装置を含むプラズマ表示パネル装置の動作について図５乃至図７を参照して詳細に説明する。
【００２３】
図７は図６のアドレス電力制御部の詳細図である。
【００２４】
まず、外部からデータ成分（Ｒ、Ｇ、Ｂ）と同期信号（Ｈｓｙｎｃ、Ｖｓｙｎｃ）を含む映像信号が入力される。
【００２５】
平均信号レベル感知部３２０はデータ成分（Ｒ、Ｇ、Ｂ）の平均信号レベルを測定する。測定された平均信号レベルは維持走査電力制御部３３０に入力される。
【００２６】
次に、維持走査電力制御部３３０は平均信号レベル感知部３２０で現在測定される負荷率に相応する維持放電パルス情報をメモリ３５０から読出して維持走査パルス発生部４００に出力する。
【００２７】
次に、維持走査パルス発生部４００は維持放電パルス情報を受信し、負荷率に該当する維持放電パルス個数をメモリ３５０から持ってきて維持パルスと走査パルスを各々発生して維持電極と走査電極に印加する。
【００２８】
一方、アドレス電力制御部３１０の計算部３１３は映像信号をラインメモリ３１１にライン単位で保存し現在のラインと以前のラインの差を求めて合せ、このような方法で１フレームの各ライン間の差の合計を求める。
【００２９】
この時、差を求める式は次の通りである。
【００３０】
【式２】
2004062172.tif 000003
【００３１】
ここで、Ｐはピクセル値を意味し、ｉはラインを意味し、ｊはコラムを示し、前記式はＮ個のラインとＭ個の列を有する映像データの各ライン間の差の合計を求めることができる。
【００３２】
このような式２は多様な変形が可能であり、ライン単位で演算するように変形することもでき、一度に全体の合計を求めるように変形することもできる。
【００３３】
計算部３１３が以前のラインと現在のライン、現在のラインと次のライン、次のラインとその次の次のライン、．．．．．．Ｎ−１ラインとＮライン間の差を計算し、その差を合せた値（Ｓ）を求めると、その値（Ｓ）を減衰係数決定部３１４に出力する。
【００３４】
次に、減衰係数決定部３１４は差の合計（Ｓ）に対応する減衰係数を減衰係数保存部３１２から読出して出力する。減衰係数は差の合計（Ｓ）に反比例し、０〜１間である。差の合計（Ｓ）が大きいということはピクセル間の差が大きいということであって消費電力が増加するようになるので、この場合には減衰係数を掛けてピクセル間の差を減らさなければならない。
【００３５】
差の合計（Ｓ）が０であれば、減衰係数は１であり、差の合計（Ｓ）が増加するほど減衰係数は小さくなる。このような減衰係数値は実験を通じてセッティングしてテーブル形式で保存して使用することができる。このような減衰係数は必要に応じて元の映像信号を変形しない範囲で変化することができ、１以上になるように設計することもできる。
【００３６】
次に、乗算器３１５は減衰係数を映像信号に掛けて補正された映像データを出力する。
【００３７】
次に、映像データ処理部３４０が補正された映像データを階調用データに変換して、階調別に分類し、予定された駆動シーケンスに合うように再配列してアドレスデータ発生部２００に出力する。
【００３８】
次に、アドレスデータ発生部２００は再配列されて出力される映像データに対応するアドレスデータを生成してアドレス電極ラインに印加する。
【００３９】
次に、プラズマ表示パネル１００には該当映像データが表示される。
【００４０】
このように、本発明の一実施形態では映像信号の各ピクセル間の差が大きい時には入力された映像データに減衰係数を掛ける。例えば、１行１列ピクセル（Ｐ１１）の入力映像データが“００００００００２”（０）であり２行１列ピクセル（Ｐ２１）の入力映像データが“１１１１１１１１２”（２５５）である場合には、１行を走査する場合に全てのサブフィールドでアドレッシング（アドレッシングパルスを印加するためのスイッチがオフ）が起こらず、２行を走査する場合には全てのサブフィールドでアドレッシング（アドレッシングパルスを印加するためのスイッチがオン）が起こる。つまり、１行から２行に順次に走査される場合に全てのサブフィールドでスイッチがオフからオンに変わるので８回のスイッチングが起こる。
【００４１】
このように隣接した二つのピクセル（Ｐ１１、Ｐ２１）間のデータの差が大きい場合には減衰係数、例えば４／５を各ピクセル（Ｐ１１、Ｐ２１）の映像データに掛ける。これによって、ピクセル（Ｐ１１）の映像データは“００００００００２”（０）になり、ピクセル（Ｐ２１）の映像データは“１１００１１００２”（２０４）になって、スイッチング回数が４回に減少する。
【００４２】
本発明は、前記一実施形態に限定されず、請求の範囲で定義された発明の思想及び範囲内で当業者によって変形及び改良できる。
【００４３】
以上のように、本発明によれば、アドレスデータのスイッチングが少なくなるようにして消費電力を減らすことができるプラズマ表示パネルのアドレスデータ自動電力制御方法と装置、その装置を含むプラズマ表示パネル装置を提供することができる。
【００４４】
【発明の効果】
本発明のように隣接したピクセル間において映像データの差が大きい場合に映像データに減衰係数を掛けると、データの配列が変わり各ピクセル間の差が減少し、結果的にアドレス電極の充放電するスイッチング回数を減らし、消費電力を減少させることができる。
【００４５】
また、元来のデータに減衰係数が掛けられるので元来のデータより発光するピクセル数も減少して消費電力が減少する。
【図面の簡単な説明】
【図１】プールホワイト時の映像データを示した図面である。
【図２】図１のスイッチング波形図である。
【図３】ドットパターン映像データを示した図面である。
【図４】図３のスイッチング波形図である。
【図５】本発明の一実施形態によるプラズマパネル装置の構成図である。
【図６】図５の制御部の詳細図である。
【図７】図６のアドレス電力制御部の詳細図である。
【符号の説明】
１００　プラズマ表示パネル
２００　アドレスデータ発生部
３００　制御部
３１０　アドレス電力制御部
３１１　ラインメモリ
３１２　減衰係数保存部
３１３　計算部
３１４　減衰係数決定部
３２０　平均信号レベル感知部
３３０　維持走査電力制御部
３４０　映像データ処理部
３５０　メモリ
【図１】
2004062172.tif 000005
【図２】
2004062172.tif 000006
【図３】
2004062172.tif 000007
【図４】
2004062172.tif 000008
【図５】
2004062172.tif 000009
【図６】
2004062172.tif 000010
【図７】
2004062172.tif 000011